(57)【要約】【課題】本発明の課題は、配信時にあるタイミングで広告を挿入することが、簡単で容易で随時に出来る電子コンテンツを配信するサーバ装置を提供することである。【解決手段】携帯端末装置が送信したページ要求を受信して、これに含まれるページ特定情報と、広告表示タイミング情報を照合する手段と、挿入タイミングならば、前記ページ特定情報に対応するコンテンツファイルのＵＲＬにリダイレクトさせる記述を含む広告ページを作成する広告ページ作成手段と、挿入タイミングでない場合に、前記ページ特定情報に対応するコンテンツファイルを読み出すコンテンツファイル選択手段と、前記広告ページ、または、コンテンツファイル選択手段が読み出たコンテンツファイル、あるいは、直接ＵＲＬ指定されたコンテンツファイルを携帯端末装置に返信するページ返信手段と、を備えることを特徴とするサーバ装置である。【選択図】図１
2012234554.tif 000002
【特許請求の範囲】
【請求項１】
携帯コンテンツを、ネットワークを通じて、所定のタイミングで広告ページを挿入して携帯端末装置に配信するコンテンツサーバ装置であって、
広告挿入ページを特定する情報である広告表示タイミング情報と、
一つの携帯コンテンツを構成するいくつかのコンテンツファイルのセットと、
広告コンテンツとしてのデータファイルと、
を記憶する記憶手段と、
携帯端末装置が送信したページ識別情報を含むページ要求を受信するページ要求受信手段と、
ページ要求に含まれるページ特定情報と、広告表示タイミング情報を照合して、広告を挿入するタイミングか否かを判定するタイミング判定手段と、
挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成手段と、
挿入タイミングでない場合に、前記ページ要求されたページ特定情報に対応するコンテンツファイルを読み出すコンテンツファイル選択手段と、
広告ページ作成手段が作成した広告ページ、または、コンテンツファイル選択手段が読み出た前記ページ要求されたページ特定情報に対応するコンテンツファイルあるいは、直接ＵＲＬ指定されたコンテンツファイルを携帯端末装置に返信するページ返信手段と、
を備えることを特徴とするサーバ装置。
【請求項２】
前記ページ特定情報には、コンテンツ識別情報が含まれる
ことを特徴とする請求項1に記載のサーバ装置。
【請求項３】
前記記憶手段は、広告識別情報に関連付けられた広告コンテンツと、
広告識別情報を有する広告頻度情報の回答を受け取る広告ログデータと、
を記憶して、
広告ログデータを参照して、広告識別情報の広告頻度情報を算出する広告頻度算出手段と、広告頻度がもっとも少ない広告識別情報を選択して、この広告識別情報に関連付けられた広告コンテンツを選択する広告コンテンツ選択手段と、
広告識別情報を含む広告ログデータを作成して、記憶手段の広告ログデータに追加登録する広告ログ登録手段と、
前記広告ページ作成手段は、ページ要求のページ特定情報を用いて、広告表示タイミング情報が有するページ特定情報を参照して両者が一致すれば、広告コンテンツ選択手段が選択した広告コンテンツを含み前記ページ要求されたページ特定情報に対応するコンテンツファイルのＵＲＬにリダイレクトさせる記述またはコードを含む広告ページを作成する、ことを特徴とする請求項１、または、請求項２に記載のサーバ装置。
【請求項４】
前記コンテンツファイルは、Flsh Liteファイルである、
ことを特徴とする請求項１から請求項３までのいずれか１項に記載のサーバ装置。
【請求項５】
広告挿入ページを特定する情報である広告表示タイミング情報と、一つの携帯コンテンツを構成するいくつかのコンテンツファイルと、
広告コンテンツとしてのデータファイルと、
を用いて、
携帯コンテンツを、ネットワークを通じて、所定のタイミングで広告ページを挿入して携帯端末装置に配信する方法であって、
携帯端末装置が送信したページ識別情報を含むページ要求を受信する受信ステップと、
ページ要求に含まれるページ特定情報と、広告表示タイミング情報を照合して、広告を挿入するタイミングか否かを判定するタイミング判定ステップと、
挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成ステップと、
挿入タイミングでない場合に、前記ページ要求されたページ特定情報に対応するコンテンツファイルを読み出すコンテンツファイル選択ステップと、
広告ページ作成手段が作成した広告ページ、または、コンテンツファイル選択ステップで読み出された前記ページ要求されたページ特定情報に対応するコンテンツファイル、あるいは、直接ＵＲＬ指定されたコンテンツファイルを携帯端末装置に返信するページ返信ステップと、
を含んだ手順でなされることを特徴とする携帯コンテンツに広告を挿入表示する方法。
【請求項６】
コンピュータに組込むことによって、コンピュータを請求項１から請求項４のいずれか１項に記載のサーバ装置として動作させるコンピュータプログラム。
【請求項７】
請求項６に記載のコンピュータプログラムを記録したコンピュータ読取り可能な記録媒体。
【発明の詳細な説明】
【技術分野】
【０００１】
本発明は、電子コンテンツを閲覧中の携帯端末装置に広告を表示させる装置に関するものである。
本発明は特に、広告ページを適宜挿入出来る電子書籍の利用において有用である。
【背景技術】
【０００２】
近年の携帯端末装置の普及により、携帯端末装置の利用者は、インターネットのＷＥＢサイトから電子書籍のように多数のページから構成されるページコンテンツを取得して、携帯端末装置の表示画面に再生して閲覧する機会が増えている。このとき、電子書籍の閲覧者に広告を適宜に配信することが可能である。
ここで、携帯端末装置の小さい表示画面に、電子書籍と広告を効果的に表示させるためには、ページコンテンツの表示寸法を画面サイズに合わせて自動調整して大きく表示させることができるFlash Lite形式のコンテンツを使用することが多い。この形式のページコンテンツは、携帯端末装置用に編集されたコンテンツであり、携帯端末装置で受信可能なファイル容量のページコンテンツファイルに分割されている。
このFlash Lite形式のコンテンツでは、あたかもページを捲くるような動画（＝連続的に動く一区切りの場面）を用いて、紙媒体の雑誌やカタログ等を閲覧する動作を表示装置上に表現できる。各動画のページを捲る動作の終了画面は、書籍のページを表示した状態となる。
このようにして、携帯端末装置は、表示させたいページを含むページコンテンツファイルを受信して、ページを再生表示することが可能となる。
【０００３】
特許文献１には、広告出力回数（＝広告提供回数）に応じて広告を選択して、これをユーザ端末に提供する電子コンテンツに格納するように電子コンテンツの広告を制御する技術が開示されている。
特許文献２には、広告を伴うコンテンツを受信した利用者１２０が、特典ポイントを利用して広告を外して（即ち、非表示にして）コンテンツ閲覧できるようにした電子コンテンツを流通させる技術が開示されている。
非特許文献１には、ページを捲るように画面遷移する動画コンテンツを、携帯端末装置が受信可能なファイル容量に分割して、Flash Lite形式の動画コンテンツファイルを作成する技術が開示されている。
【先行技術文献】
【特許文献】
【０００４】
【特許文献１】特開２００４−２２０４２９号公報（段落００２５、段落００３７、図６，９）
【特許文献２】特開２００２−３３４２５５号公報（段落００８３〜段落００８８、図７）
【非特許文献】
【０００５】
【非特許文献１】小松学史著、「基礎から学ぶ  モバイルFlashコンテンツ作成講座」、初版、株式会社技術評論社、平成１６年９月１５日、
【発明の概要】
【発明が解決しようとする課題】
【０００６】
特許文献１や特許文献２の技術では、広告を組み込んだコンテンツを編集しなければならないという手間を要する。
また、特許文献２の技術では、広告が不用な場合でも、広告をコンテンツに組み込むという無用の作業を行わなければならない。
【０００７】
本発明は以上のような点を解決するためになされたものであって、本発明の課題は、配信時にあるタイミングで広告を挿入することが、簡単で容易で随時に出来る電子コンテンツを配信するサーバ装置を提供することである。
【課題を解決するための手段】
【０００８】
本発明は、以下の各態様に記載の手段により、前記課題を解決する。
すなわち、本願発明の第１の態様は、携帯コンテンツを、ネットワークを通じて、所定のタイミングで広告ページを挿入して携帯端末装置に配信するコンテンツサーバ装置であって、広告挿入ページを特定する情報である広告表示タイミング情報（３９７ａ）と、一つの携帯コンテンツを構成するいくつかのコンテンツファイル（３９１）のセットと、広告コンテンツとしてのデータファイルと、を記憶する記憶手段と、携帯端末装置が送信したページ識別情報を含むページ要求を受信するページ要求受信手段（３１０）と、ページ要求に含まれるページ特定情報と、広告表示タイミング情報を照合して、広告を挿入するタイミングか否かを判定するタイミング判定手段と、挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成手段（３４０）と、挿入タイミングでない場合に、前記ページ要求されたページ特定情報に対応するコンテンツファイルを読み出すコンテンツファイル選択手段（３４５）と、
広告ページ作成手段が作成した広告ページ、または、コンテンツファイル選択手段が読み出た前記ページ要求されたページ特定情報に対応するコンテンツファイル、あるいは、直接ＵＲＬ指定されたコンテンツファイルを携帯端末装置に返信するページ返信手段（３５０）と、を備えることを特徴とするサーバ装置である。
【０００９】
このように、電子コンテンツのページと広告のページを別々に送信することで、簡単で容易に、所望のタイミングで、広告を表示させることができる。
【００１０】
本願発明の第２の態様は、前記ページ特定情報には、コンテンツ識別情報が含まれることを特徴とする請求項1に記載のサーバ装置である。
【００１１】
本願発明の第３の態様は、前記記憶手段は、広告識別情報に関連付けられた広告コンテンツと、広告識別情報を有する広告頻度情報の回答を受け取る広告ログデータと、を記憶して、広告ログデータを参照して、広告識別情報の広告頻度情報を算出する広告頻度算出手段と、広告頻度がもっとも少ない広告識別情報を選択して、この広告識別情報に関連付けられた広告コンテンツを選択する広告コンテンツ選択手段と、広告識別情報を含む広告ログデータを作成して、記憶手段の広告ログデータに追加登録する広告ログ登録手段と、前記広告ページ作成手段は、ページ要求のページ特定情報を用いて、広告表示タイミング情報が有するページ特定情報を参照して両者が一致すれば、広告コンテンツ選択手段が選択した広告コンテンツを含み前記ページ要求されたページ特定情報に対応するコンテンツファイルのＵＲＬにリダイレクトさせる記述またはコードを含む広告ページを作成する、ことを特徴とする請求項１、または、請求項２に記載のサーバ装置である。
【００１２】
本願発明の第４の態様は、前記コンテンツファイルは、Flash Liteファイルである、ことを特徴とする請求項１から請求項３までのいずれか１項に記載のサーバ装置である。
【００１３】
本願発明の第５の態様は、広告挿入ページを特定する情報である広告表示タイミング情報と、一つの携帯コンテンツを構成するいくつかのコンテンツファイルと、広告コンテンツとしてのデータファイルと、を用いて、携帯コンテンツを、ネットワークを通じて、所定のタイミングで広告ページを挿入して携帯端末装置に配信する方法であって、携帯端末装置が送信したページ識別情報を含むページ要求を受信する受信ステップと、ページ要求に含まれるページ特定情報と、広告表示タイミング情報を照合して、広告を挿入するタイミングか否かを判定するタイミング判定ステップと、挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成ステップと、挿入タイミングでない場合に、前記ページ要求されたページ特定情報に対応するコンテンツファイルを読み出すコンテンツファイル選択ステップと、広告ページ作成手段が作成した広告ページ、または、コンテンツファイル選択ステップで読み出された前記ページ要求されたページ特定情報に対応するコンテンツファイル、あるいは、直接ＵＲＬ指定されたコンテンツファイルを携帯端末装置に返信するページ返信ステップと、を含んだ手順でなされることを特徴とする携帯コンテンツに広告を挿入表示する方法である。
【００１４】
本願発明の第６の態様は、コンピュータに組込むことによって、コンピュータを請求項１から請求項４のいずれか１項に記載のサーバ装置として動作させるコンピュータプログラムである。
【００１５】
本願発明の第７の態様は、請求項６に記載のコンピュータプログラムを記録したコンピュータ読取り可能な記録媒体である。
【発明の効果】
【００１６】
本願発明によれば、広告をコンテンツに組み込むことなく、自由なタイミングで表示させることが可能である。
【図面の簡単な説明】
【００１７】
【図１】本発明による広告を掲載する書籍コンテンツ提供システム１の概要図
【図２】広告ページを表示させるタイミングを説明する図
【図３】書籍コンテンツサーバ装置３００の詳細な構成図
【図４】広告管理データベース３９７の説明図
【図５】携帯端末装置１００の詳細な構成図
【図６】コンテンツ選択画面の例
【図７】コンテンツのページを表示する画面の例
【図８】広告表示の例
【図９】コンテンツ選択処理の説明図
【図１０】ページの選択と表示処理の説明図
【図１１】広告画像を選択して広告ページを作成する処理の説明図
【図１２】(実施例１)購読料金選択画面１００ｂの例
【図１３】(実施例１)購読料支払画面の例
【図１４】(実施例１)会員による支払処理の説明図
【図１５】(実施例１)支払処理をした端末装置にページを表示させる処理の説明図
【図１６】Flash Lite形式のコンテンツファイルの表示動作の説明図
【発明を実施するための形態】
【００１８】
以下、図面等を参照しながら、本発明の実施の形態について、更に詳しく説明する。
図１は、本発明による広告を掲載する書籍コンテンツ提供システム１の概要を説明する図である。広告を掲載する書籍コンテンツ提供システム１は、携帯端末装置１００（携帯電話）が携帯コンテンツ（たとえば、書籍コンテンツ）のページを閲覧するときに、書籍コンテンツを配信するサーバ装置３００（書籍コンテンツサーバ装置）が、所定のタイミングで広告ページを挿入しながら書籍コンテンツを配信するシステムである。広告を掲載する書籍コンテンツ提供システム１は、携帯端末装置１００と、書籍コンテンツサーバ装置３００とがネットワークで接続されて構成される。ネットワークは、携帯端末装置１００と無線接続する基地局９００を備えた携帯電話事業者のネットワークがゲートウェー８００を介してインターネット７００と接続されたネットワークである。書籍コンテンツサーバ装置３００は、中央処理装置（ＣＰＵ）を備え、コンピュータプログラムによって制御されるサーバコンピュータである。ハードディスク等で構成される大容量記憶手段を備えており書籍コンテンツファイルを記憶する。また、インターネットを通じてコンテンツを配信するためにApache等の既存のＨＴＴＰサーバソフトウエア（以下単にＨＴＴＰサーバと記す）を備える。
【００１９】
なお、書籍コンテンツは、携帯端末装置で受信可能なファイル容量のコンテンツファイルに分割されている。
そこで、閲覧者が閲覧したい書籍のページが携帯端末装置１００のコンテンツファイルに含まれる時には、これを表示させればよい。しかしながら、携帯端末装置１００のコンテンツファイルに含まれないページを閲覧したい時には、所望のページが含まれるコンテンツファイルを書籍コンテンツサーバ装置３００から取得して、そのページを表示させる。
【００２０】
以下では、Flash Lite形式のコンテンツファイルを例に説明する。
図１６は、Flash Lite形式のコンテンツファイルの表示動作の説明図である。
携帯端末装置１００は、書籍コンテンツサーバ装置３００からFlash Lite形式のコンテンツファイル３９１を取得すると、最初に再生されるように設定されたページ３９１ａが自動的に表示されることに留意する必要がある。
そこで、携帯端末装置１００は、携帯端末装置１００のコンテンツファイル３９１に含まれないページを表示させたい時には、表示させたいページが最初に再生されるように設定された別のコンテンツファイル３９１を取得して、そのページ３９１ａを表示させる。
【００２１】
図２は、広告ページを表示させるタイミングを説明する図である。
図２では、携帯端末装置において、コンテンツファイル３９１のあるページ３９２から別のページ３９２に画面遷移（ページ遷移）する時に、広告ページ３９４が挿入表示される広告表示タイミングを説明する。
【００２２】
図２の（ａ）の広告表示タイミングは、２ページのページ遷移ごとに広告ページ３９４が挿入されて表示されることを示す。たとえば、書籍コンテンツを無料閲覧する場合の広告表示タイミングである。コンテンツファイル３９１が２つのページ３９２から構成されている。このとき、携帯端末装置１００は、奇数ページのページ要求を行うことにより次のコンテンツファイル３９１を受信する前には、必ず、広告ページ３９４を受け取る事になる。言い換えると、書籍コンテンツサーバ装置３００は、携帯端末装置１００に広告ページ３９４を送信してから、コンテンツファイル３９１を送信する。
【００２３】
図２の（ｂ−１）と（ｂ−２）の広告表示タイミングは、４ページのページ遷移ごとに、広告ページ３９４が挿入されて表示されることを示す。たとえば、閲覧料金Ａを支払った場合の広告表示タイミングである。
図２の（ｂ−１）は、コンテンツファイル３９１が２つのページ３９２から構成されている場合である。
図２の（ｂ−２）は、コンテンツファイル３９１が４つのページ３９２から構成されている場合である。いずれの場合も、４で割って１余るページ（５頁，９頁，‥）のページ要求を行ったときは、携帯端末装置１００は、コンテンツファイル３９１を受信する前には、必ず、広告ページ３９４を受け取る事になる。
【００２４】
図２の（ｃ−１）と（ｃ−２）の広告表示タイミングは、６ページのページ遷移ごとに、広告ページ３９４が挿入されて表示されることを示す。たとえば、閲覧料金Ｂを支払った場合の広告表示タイミングである。
図２の（ｃ−１）は、コンテンツファイル３９１が２つのページ３９２から構成されている場合である。
図２の（ｃ−２）は、コンテンツファイル３９１が６つのページ３９２から構成されている場合であるいずれの場合も、６で割って１余るページ（７頁，１３頁，‥）のページ要求を行ったときは、。携帯端末装置１００は、コンテンツファイル３９１を受信する前には、必ず、広告ページ３９４を受け取る事になる。
【００２５】
このように、携帯端末装置１００が、書籍コンテンツサーバ装置３００からコンテンツファイル３９１を受信するときに、所定のタイミングで広告ページ３９４が挿入されて配信される。
【００２６】
図３は、書籍コンテンツサーバ装置３００の概念図である。書籍コンテンツサーバ装置３００は、記憶手段３９０と、既存のＨＴＴＰサーバ３０２（たとえば、Apache）と、これから呼び出されるプログラムモジュール３０４を備える。プログラムモジュール３０４は、記憶装置に格納されているコンピュータプログラムがサーバコンピュータの中央処理装置により読み出されて実行されることにより動作する。
【００２７】
記憶手段３９０は、コンテンツファイル３９１と、広告コンテンツ３９３（たとえば、広告画像データ）と、広告管理データベース３９７を記憶する。コンテンツファイル３９１は、ページ特定情報（＝ページ番号）に対応づけられるファイルである。
ここで、ページ特定情報（＝ページ番号）に対応づけられるコンテンツファイル３９１とは、その特定されるページが最初に再生表示されるように設定されたコンテンツファイルのことである。本システムではこのようなページ番号に対応したコンテンツファイル３９１が複数集まって１つのコンテンツ（＝１つの書籍タイトル等に相当）を構成する。
【００２８】
広告コンテンツ３９３は、広告識別情報（＝広告ＩＤ）を含むコンテンツデータ（たとえば、広告画像データ）である。広告管理データベース３９７は、広告表示タイミング情報３９７ａを含むデータベースである。広告表示タイミング情報３９７ａは、ページ番号の羅列、あるいは、ページ間隔値である。（詳細は後述する）
【００２９】
ページ要求受信手段３１０は、携帯端末装置１００が送信したページ特定情報（たとえば、ページ番号）を含むページ要求、またはコンテンツファイルを直接指定するＵＲＬによる要求を受信する。
【００３０】
広告表示タイミング問合せ手段３２０は、ページ特定情報を含む広告表示タイミングを広告管理データベース３９７に問い合せて、広告表示タイミング情報３９７ａの回答を受け取る。
【００３１】
タイミング判定手段３３０は、広告表示タイミング問合せ手段３２０が回答として受け取った広告表示タイミング情報３９７ａのページ番号の羅列の中に、ページ要求のページ特定情報と一致するものが存在するか否かを判定する。一致するものが存在すれば、広告表示タイミングであり、一致するものが存在しなければ、広告表示タイミングでない。
あるいは、タイミング判定手段３３０は、ページ要求のページ特定情報を広告表示タイミング問合せ手段３２０が回答として受け取った広告表示タイミング情報（３９７ａ）のページ間隔値で除算して、割った余りが１か否かを判定する。余りが１であれば、広告表示タイミングであり、余りが１でなければ、広告表示タイミングでない。
【００３２】
広告頻度問合せ手段３６０は、広告頻度を広告管理データベース３９７に問い合せて、広告識別情報を有する頻度情報の回答を受け取る。
広告コンテンツ選択手段３７０は、広告頻度問合せ手段３６０が受け取った頻度情報の中から広告頻度がもっとも少ない広告識別情報を抽出して、この広告識別情報を有する広告コンテンツ３９３を、記憶手段が記憶する広告コンテンツ３９３の中から選択する。
広告ページ作成手段３４０は、広告表示タイミングならば、広告コンテンツ選択手段３７０が選択した広告コンテンツを用いて、携帯端末装置が送信したページ要求のページ特定情報に対応するコンテンツファイルのＵＲＬにリダイレクトさせる記述またはコード、あるいは、同ＵＲＬへのハイパーリンクタグを含む広告ページを作成する。
【００３３】
コンテンツファイル選択手段３４５は、挿入タイミングでない場合に、前記ページ要求されたページ特定情報に対応するコンテンツファイルを読み出す。なお、ファイルにページ特定情報（＝ページ番号）を対応付ける方法には、コンテンツファイルのファイル識別情報にページ番号を含ませる方法や、コンテンツファイルを格納するフォルダ名にページ番号を含ませる方法がある。
【００３４】
広告ログ登録手段３８０は、作成送信した広告ページの広告コンテンツが有する広告識別情報を含むログ情報を作成して、広告管理データベース３９７に記録する。
【００３５】
ページ返信手段３５０は、広告ページ作成手段３４０が作成した広告ページ、または、コンテンツファイル選択手段３４５が読み出した前記ページ要求されたページ特定情報に対応するコンテンツファイル、あるいは、直接ＵＲＬ指定された静的ファイル（広告表示後にリダイレクトまたはハイパーリンクにより要求されたコンテンツファイル）を携帯端末装置に返信する。
【００３６】
なお、ページ要求受信手段３１０と、ページ返信手段３５０とは、ＨＴＴＰサーバ３０２にて実現する機能である。
また、コンテンツファイル選択手段３４５と、広告表示タイミング問合せ手段３２０と、タイミング判定手段３３０と、広告頻度問合せ手段３６０と、広告コンテンツ選択手段３７０と、広告ページ作成手段３４０と、広告ログ登録手段３８０とは、書籍コンテンツサーバ装置３００が動的ページを生成するために用意されるプログラムである。以下の説明ではこれらをプログラムモジュール３０４と総称することがある。
【００３７】
図４は、広告管理データベース３９７の説明図である。広告管理データベース３９７は、出版物ＴＢＬ３９７ｐと、ログＴＢＬ３９７ｑと、広告ＴＢＬ３９７ｒと、広告主ＴＢＬ３９７ｓと、出版社ＴＢＬ３９７ｔと、購入履歴ＴＢＬ３９７ｕと、広告ジャンルＴＢＬ３９７ｖと、を含んで構成される。
【００３８】
出版物ＴＢＬ３９７ｐは、電子書籍の管理テーブルである。出版物ＴＢＬ３９７ｐの項目は、書籍ＩＤ３９７ｄと、書籍名と、コンテンツＵＲＬ３９７ｃと、広告表示タイミング３９７ａと、広告ジャンルＩＤと、広告掲載期間と、出版社ＩＤと、値段などである。ここで、広告表示タイミング３９７ａは、である。広告挿入ページを特定する情報は、広告を挿入するページ番号の羅列である。あるいは、広告挿入ページを特定する情報は、広告を挿入するページ間隔を表す数値（たとえば、２ページ毎、４ページ毎など）でもよい。
【００３９】
ログＴＢＬ３９７ｑは、広告履歴を管理するテーブルである。ログＴＢＬ３９７ｑの項目は、ログＩＤと、ログ内容と、広告ＩＤ３９７ｂと、書籍ＩＤと、日付と、端末ＩＤなどである。
【００４０】
広告ＴＢＬ３９７ｒは、広告コンテンツ３９３を管理するテーブルである。広告ＴＢＬ３９７ｒの項目は、広告ＩＤと、広告名と、広告画像ＵＲＬ３９７ｅと、広告ジャンルなどである。
【００４１】
購入履歴ＴＢＬ３９７ｕは、携帯端末装置が購入した電子書籍の購入履歴を管理するテーブルである。購入履歴ＴＢＬ３９７ｕの項目は、端末ＩＤと、購入金額などである。
【００４２】
広告主ＴＢＬ３９７ｓは、広告主名を管理するテーブルである。出版社ＴＢＬ３９７ｔは、出版社名を管理するテーブルである。広告ジャンルＴＢＬ３９７は、広告ジャンル名を管理するテーブルである。
【００４３】
図５は、携帯端末装置１００の概念図である。携帯端末装置１００は、表示部１０２と、ＷＥＢブラウザ１１０と、コンテンツプレイヤ１２０と、を備える。
【００４４】
表示部１０２は、ＬＣＤやＥＬである。入力部１０１は、キーボタンである。通信部１０３は、アンテナである。記憶部１０９は、半導体メモリである。
【００４５】
ＷＥＢブラウザ１１０と、コンテンツプレイヤ１２０とは、コンピュータプログラムである。ＷＥＢブラウザ１１０は、携帯電話用ブラウザであり、コンテンツプレイヤ１２０はＦＬＡＳＨプレイヤである。
【００４６】
ＷＥＢブラウザ１１０は、ファイル識別情報を含むＵＲＬを用いて書籍コンテンツサーバ装置３００に接続して、書籍コンテンツサーバ装置３００が返信した広告ページやコンテンツファイル３９１を受信、保持する。コンテンツプレイヤ１２０はコンテンツファイル３９１（の最初のページ）を再生させて表示部１０２に表示させる。
【００４７】
コンテンツプレイヤ１２０は、表示部に表示させた対話インターフェースオブジェクトから入力された、コンテンツファイルのページ選択情報を受け付ける。
コンテンツプレイヤ１２０は、前記選択されたページがＷＥＢブラウザ１１０に保持されるコンテンツファイル３９１に含まれる場合には、これを再生表示する。前記選択されたページがＷＥＢブラウザ１１０に保持されるコンテンツファイル３９１に含まれない場合には、ＷＥＢブラウザ１１０は、ページ選択情報を含むコンテンツファイル送信要求を書籍コンテンツサーバ装置３００に送信する。
【００４８】
図６から図８までは、携帯端末装置１００の表示画面の説明図である。
【００４９】
図６は、コンテンツ選択画面の例である。
ＷＥＢブラウザ１１０が、電子書籍の書籍名を一覧表示しているコンテンツ選択画面１００ａの例である。
【００５０】
図７は、コンテンツのページを表示する画面の例である。
【００５１】
図７の（ａ）は、コンテンツプレイヤ１２０がコンテンツの第１ページ（＝電子書籍の表紙ページ）を表示する画面１００ｃの例である。
画面の正面には、コンテンツの表紙ページが表示されている。画面の左部には、対話インターフェースオブジェクト（＝ページ選択メニュー）が表示されている。ページ選択メニューを用いて、ページ選択情報（＝ページ番号）が入力される。
【００５２】
図７の（ｂ）は、選択されたページの表示画面１００ｄの例である。ページ選択メニューで選択されたページが表示画面１００ｄに表示された例である。
選択ページ画面１００ｄは、（ａ）と同様に、画面の正面には、コンテンツのページが表示されて、画面の左部には、対話インターフェースオブジェクト（＝ページ選択メニュー）が表示されている。
【００５３】
図８は、広告表示の例である。図８には、広告画像３９３とメッセージ「５秒後に次のページを表示します」が表示された広告画面１００ｅの例である。なお、広告画面１００ｅは、広告画像３９３を５秒ほど表示した後に、当初に選択されたページの表示画面１００ｄに自動的に切り替わるように設定されている。
【００５４】
図９は、コンテンツ選択処理の説明図である。
携帯端末装置１００のＷＥＢブラウザ１１０は、新刊一覧画面要求を書籍コンテンツサーバ装置３００に発行する（図９（１））。
書籍コンテンツサーバ装置３００のＨＴＴＰサーバ３０２は、携帯端末装置１００の新刊一覧画面要求を受け付けて、ＨＴＴＰサーバ３０２から呼び出されるプログラムモジュール３０４は広告管理データベース３９７に新刊情報を問い合わせる（同（２））。
広告管理データベース３９７は、新刊情報問合せを受け付けて、新刊の書籍情報を返答する（同（３））。
【００５５】
書籍コンテンツサーバ装置３００のプログラムモジュール３０４は、新刊の書籍情報を用いて、コンテンツ選択画面データを作成して、ＨＴＴＰサーバ３０２がこれを携帯端末装置１００に返信する（同（４））。
携帯端末装置１００のＷＥＢブラウザ１１０は、書籍コンテンツサーバ装置３００が返信するコンテンツ選択画面データを受信して、コンテンツ選択画面１００ａを表示する（同（５））。
【００５６】
閲覧者は、入力部１０１を使って、携帯端末装置１００のコンテンツ選択画面１００ａの電子書籍名一覧から書籍名を選択する（同（６））。
ＷＥＢブラウザ１１０は、選択された書籍名に対応する書籍ＩＤを受け付けて、この書籍ＩＤを含むコンテンツ要求を書籍コンテンツサーバ装置３００に送信する（同（７））。
【００５７】
書籍コンテンツサーバ装置３００のＨＴＴＰサーバ３０２は、携帯端末装置１００が送信したコンテンツ要求を受け付けて、ＨＴＴＰサーバ３０２から呼び出されるプログラムモジュール３０４は、コンテンツ要求に含まれる書籍ＩＤのコンテンツＵＲＬを広告管理データベース３９７に問い合わせる（同（８））。
広告管理データベース３９７は、コンテンツＵＲＬ問合せを受け付けて、出版物ＴＢＬ３９７ｐを参照して、該当する書籍ＩＤのコンテンツＵＲＬ（＝表紙を最初に表示するFlash Lite形式コンテンツファイルのＵＲＬ）をプログラムモジュール３０４に返答する（同（９））。
【００５８】
書籍コンテンツサーバ装置３００のプログラムモジュール３０４は、返答されたコンテンツＵＲＬにリダイレクトする情報を作成して、ＨＴＴＰサーバ３０２は携帯端末装置１００に送信する（同（１０））。
【００５９】
携帯端末装置１００のＷＥＢブラウザ１１０は、書籍コンテンツサーバ装置３００が送信するリダイレクト情報を受信して、リダイレクト先として指定されたコンテンツＵＲＬにアクセスする（同（１１））。
書籍コンテンツサーバ装置３００のＨＴＴＰサーバ３０２は、携帯端末装置１００からコンテンツＵＲＬを受け取って、コンテンツファイル３９１の中から該当するコンテンツファイル３９１を選択して、これを返信する（同（１２））。
【００６０】
携帯端末装置１００のＷＥＢブラウザ１１０は、書籍コンテンツサーバ装置３００が送信するコンテンツファイル３９１を受信して、コンテンツプレイヤ１２０は、受信したコンテンツファイル３９１を用いて、最初に再生されるように設定されたページ３９２ａ（＝表紙）を表示画面１００ｃに表示する（同（１３））。
【００６１】
図１０は、ページの選択と表示処理の説明図である。
閲覧者は、入力部１０１を使って、携帯端末装置１００の表紙表示画面１００ｃの左部に表示されているページ選択メニュー（＝対話インターフェースオブジェクト）から、所望のページ（ここでは、次頁、前頁、ＴＯＰ頁のいずれか）を選択する（図１０（１））。
携帯端末装置１００のＷＥＢブラウザ１１０は、選択されたページ選択メニューに対応したページ番号と端末ＩＤと書籍ＩＤを含む要求（＝コンテンツファイル送信要求、ページ要求）を書籍コンテンツサーバ装置３００に送信する（同（２））。
【００６２】
書籍コンテンツサーバ装置３００のページ要求受信手段３１０は、携帯端末装置１００が送信したページ要求を受け付ける（同（３））。
広告表示タイミング問合せ手段３２０は、前記要求に含まれるページ番号と書籍ＩＤを用いて、広告表示タイミング問合を作成して、広告管理データベース３９７に広告表示タイミングを問い合せる（同（４））。
【００６３】
広告管理データベース３９７は、広告表示タイミング問合を受け付けて、出版物ＴＢＬ３９７ｐを参照して、該当する書籍ＩＤの広告表示タイミング情報３９７ａを、広告表示タイミング問合せ手段３２０に回答する（同（５））。
【００６４】
タイミング判定手段３３０は、受け取った広告表示タイミング情報３９７ａのページ番号と、広告表示タイミング情報３９７ａの数字列を照合して、広告表示タイミング情報３９７ａの数字列の中にページ番号と一致するものが存在するか否かを判定する。
【００６５】
広告表示タイミング判定結果が、広告を表示するタイミングで無いとき（＝ページ要求のページ番号が、広告表示タイミング情報に存在しないとき）、コンテンツファイル選択手段３４５は、要求されたページ番号に対応するコンテンツファイル３９１を選択して、ＨＴＴＰサーバ３０２は、これを携帯端末装置１００に返信する（同（６））。
携帯端末装置１００のＷＥＢブラウザ１１０は、携帯端末装置が返信するコンテンツファイル３９１を受信して、コンテンツプレイヤ１２０は、受信したコンテンツファイル３９１を用いて、最初に再生されるように設定されたページ３９２ｄ（＝選択されたページ）を再生表示する（同（７））。
【００６６】
閲覧者は、入力部１０１を使って、ページが表示された画面１００ｄの左部に表示されているページ選択メニュー（＝対話インターフェースオブジェクト）から、所望のページを選択する（同（９））。
携帯端末装置１００のＷＥＢブラウザ１１０は、選択されたページ番号と端末ＩＤと書籍ＩＤを含む要求（＝コンテンツファイル送信要求、ページ要求）を書籍コンテンツサーバ装置３００に送信する（同（１０））。図１０の（３）に戻る。
【００６７】
広告表示タイミング情報３９７ａの結果が、広告を表示するタイミングであるとき（＝ページ要求のページ番号と一致する数字が、広告表示タイミング情報に存在するとき）、図１１の（１）に進む（同（８））。
【００６８】
次に、複数の広告画像の中から一つの画像を選択して広告ページを作成する処理を説明する。なお、広告画像は、広告ジャンルで分類されており、書籍コンテンツに設定されている広告ジャンルの広告画像の中から画像を選択する。
【００６９】
図１１は、使用頻度の少ない広告画像を選択して広告ページを作成する処理の説明図である。
図１０の（８）「広告タイミングの場合」から続く。
広告頻度問合せ手段３６０は、電子書籍の広告ジャンルＩＤに含まれる広告ＩＤを、広告管理データベース３９７に問い合わせる（図１１（１））。
広告管理データベース３９７は、広告ＩＤ問合選択を受け付けて、広告ＴＢＬ３９７ｒを参照して、該当する広告ＩＤを、広告頻度問合せ手段３６０に、回答する（同（２））。
【００７０】
広告頻度問合せ手段３６０は、回答された各広告ＩＤの表示回数（＝ログ登録個数）を、広告管理データベース３９７に問い合わせる（同（３））。
広告管理データベース３９７は、各広告ＩＤの表示回数問合せを受け付けて、ログＴＢＬ３９７ｑを参照して、各広告ＩＤの表示回数を広告頻度問合せ手段３６０に、回答する（同（４））。
【００７１】
広告コンテンツ選択手段３７０は、広告頻度問合せ手段３６０が受け取った各広告ＩＤの表示回数の中から表示回数がもっとも少ない広告ＩＤを抽出する（同（５））。
【００７２】
広告コンテンツ選択手段３７０は、抽出された広告ＩＤの広告画像ＵＲＬを広告管理データベース３９７に問い合わせる（同（６））。
広告管理データベース３９７は、広告画像ＵＲＬ問合せを受け付けて、出版物ＴＢＬ３９７ｐを参照して、該当する広告画像ＵＲＬを広告コンテンツ選択手段３７０に、回答する（同（７））。
【００７３】
広告コンテンツ選択手段３７０は、広告管理データベースから回答された広告画像ＵＲＬを用いて、広告コンテンツ３９３の中から該当する広告画像３９３を選択する（同（８））。
【００７４】
広告ページ作成手段３４０は、広告表示後にリダイレクト要求するコンテンツファイルのＵＲＬを取得して、このＵＲＬと広告コンテンツ選択手段３７０が選択した広告画像ＵＲＬの広告画像３９３とを用いて、設定された時間後（たとえば、５秒後）に選択した所望のページを再生表示するコンテンツファイルにジャンプする広告ページ（すなわち、ページ番号と書籍ＩＤを含むＵＲＬにリダイレクトする広告ページ）を作成して、ページ返信手段３５０は、これを携帯端末装置に送信する（同（９））。なお、広告ページは、広告表示後にリダイレクト要求する代わりに、広告ページのハイパーリンクタグにページ要求された所望のコンテンツファイルのＵＲＬを含ませてもよい。
【００７５】
携帯端末装置１００のＷＥＢブラウザ１１０は、書籍コンテンツサーバ装置３００が送信する広告ページを受信して広告画面１００ｅに表示する（同（１０））。
広告画面１００ｅを表示して５秒が経過したら、ＷＥＢブラウザ１１０は、指定されたリダイレクトＵＲＬによるＨＴＴＰリクエストを発行して書籍コンテンツサーバ装置３００にアクセスする（同（１１））。
書籍コンテンツサーバ装置３００のページ要求受信手段３１０は、携帯端末装置１００が送信したコンテンツファイルを直接指定するＵＲＬによる要求を受信する（同（１２））。コンテンツ返信手段３５０は、コンテンツファイルを直接指定するＵＲＬによる要求に応えて、要求されたコンテンツファイルを返信する（同（１３））。
【００７６】
（実施例１）
次に、購読料を支払って、広告付き電子書籍を閲覧する実施例を説明する。
購読料の額に応じて、広告ページの表示タイミングが異なる例である。
このとき、広告管理データベース３９７の出版物ＴＢＬ３９７ｐは、支払金額対応広告表示タイミング情報３９７ａを記憶する。
【００７７】
図１２は、購読料金選択画面１００ｂの例である。
購読料金選択画面１００ｂの選択肢は、「無料で読む  １００円で読む  ２００円で読む  正規購入して読む」である。
【００７８】
図１３は、購読料支払画面の例である。
図１３の（ａ）は、会員登録されている端末から購読料金を支払う画面１００ｇ（会員用購読料金支払画面）の例である。
図１３の（ｂ）は、非会員の購読料金支払画面１００ｈの例である。
【００７９】
図１４は、会員による支払処理の説明図である。
（１）から（７）までは、図９の（１）から（７）までと同じである。
【００８０】
書籍コンテンツサーバ装置３００のＨＴＴＰサーバ３０２は、携帯端末装置１００が送信した書籍ＩＤを受け付けて、ＨＴＴＰサーバ３０２から呼び出されるプログラムモジュール３０４は、この書籍ＩＤの購読料金を広告管理データベース３９７に問い合わせる（図１４（８））。
広告管理データベース３９７は、購読料金問合せを受け付けて、出版物ＴＢＬ３９７ｐを参照して、該当する書籍ＩＤの値段（＝購読料金）をプログラムモジュール３０４に返答する（同（９））。
【００８１】
プログラムモジュール３０４は、返答された購読料金を用いて購読料金選択画面データを作成して、ＨＴＴＰサーバ３０２は、これを携帯端末装置１００に送信する（同（１０））。
携帯端末装置１００のＷＥＢブラウザ１１０は、書籍コンテンツサーバ装置３００が返信する購読料金選択画面データを受信して、購読料金選択画面１００ｂを表示する（同（１１））。
【００８２】
閲覧者は、入力部１０１を使って、購読料金選択画面１００ｂの購読料金を選択する（同（１２））。
携帯端末装置１００のＷＥＢブラウザ１１０は、書籍ＩＤと購読料金と端末ＩＤを書籍コンテンツサーバ装置３００に送信する（同（１３））。
【００８３】
書籍コンテンツサーバ装置３００のＨＴＴＰサーバ３０２は、携帯端末装置１００が送信した書籍ＩＤと購読料金と端末ＩＤを受け付けて、ＨＴＴＰサーバ３０２から呼び出されるプログラムモジュール３０４は広告管理データベース３９７に端末ＩＤのユーザ情報を問い合わせる（同（１４））。
広告管理データベース３９７は、ユーザ情報問合せを受け付けて、購入履歴ＴＢＬ３９７ｕを参照して、この端末ＩＤの・書籍ＩＤの購入履歴をプログラムモジュール３０４に回答する（同（１５））。
【００８４】
プログラムモジュール３０４は、広告管理データベース３９７から、返答された購入履歴の書籍ＩＤを参照して、購入の有無をチェックして、未購入であれば、会員用の購読料支払画面データを作成して、ＨＴＴＰサーバ３０２は、これを携帯端末装置１００に送信する（同（１６））。
【００８５】
携帯端末装置１００は、書籍コンテンツサーバ装置３００が送信した購読料支払画面データを受信して、ＷＥＢブラウザ１１０は、購読料支払画面１００ｇを表示する（同（１６））。
携帯端末装置１００のＷＥＢブラウザ１１０は、表示された購読料支払画面１００ｇに入力された購入情報を受け付けて、これを書籍コンテンツサーバ装置３００に送信する（同（１７））。
【００８６】
書籍コンテンツサーバ装置３００のＨＴＴＰサーバ３０２は、携帯端末装置１００が送信した購入情報とコンテンツＵＲＬ問合を受け付ける。（同（１８））。
ＨＴＴＰサーバ３０２から呼び出されるプログラムモジュール３０４は、購入情報を、広告管理データベース３９７の購入履歴ＴＢＬ３９７ｕに登録する（同（１９））。
【００８７】
図中の（２０）は、図９の（８）と同じである。
図中の（２１）は、図１５の（１）に続く。
【００８８】
図１５は、支払処理をした端末装置にページを表示させる処理の説明図である。
図中の（１）から（５）までは図９の（９）から（１３）と同じである。
図中の（６）から（８）までは、図１０の（１）から（３）までと同じである。
【００８９】
プログラムモジュール３０４は、支払金額情報と、ＵＲＬに含まれるページ番号と書籍ＩＤを用いて、支払金額に応じた広告表示のタイミング問合情報を作成して、広告管理データベース３９７に支払金額対応の広告表示タイミングを問い合せる（図１５（９））。
広告管理データベース３９７は、支払金額対応の広告表示タイミング問合を受け付けて、出版物ＴＢＬ３９７ｐを参照して、該当する書籍ＩＤの支払金額対応広告表示タイミング情報３９７ａと広告コンテンツＵＲＬ（＝広告画像ＵＲＬ）をプログラムモジュール３０４に回答する（同（１０））。
【００９０】
図中の（１１）は、図１０の（６）と同じである。また、図中の（１２）は、図１０の（７）と同じである。
【００９１】
このように、支払金額に応じた広告表示タイミングに応じて、広告ページが携帯端末装置１００に配信される。
【００９２】
なお、扱うデータ量が少なければ、広告管理データベースを用いなくてもよい。
【符号の説明】
【００９３】
１  本発明による広告を掲載する書籍コンテンツ提供システム
１００  携帯端末装置
１１０  ＷＥＢブラウザ
１２０  コンテンツプレイヤ
３００  書籍コンテンツに広告を挿入配信するサーバ装置
３０２  ＨＴＴＰサーバ
３０４  プログラムモジュール
３１０  ページ要求受信手段
３２０  広告ページ返信手段
３３０  コンテンツファイル返信手段
３４０  広告ページ作成手段
３６０  広告頻度算出手段
３７０  広告コンテンツ選択手段
３８０  広告ログ登録手段
３９１  コンテンツファイル、Flash Lite形式の書籍コンテンツファイル
３９２  書籍コンテンツのページ
３９３  広告コンテンツ、広告画像
３９７  広告管理データベース
３９７ａ  広告表示タイミング情報
３９７ｂ  広告ＩＤ、広告識別情報
３９７ｃ  コンテンツＵＲＬ
３９７ｄ  書籍ＩＤ、書籍識別情報
３９７ｅ  広告画像ＵＲＬ
【図１】
2012234554.tif 000003
【図２】
2012234554.tif 000004
【図３】
2012234554.tif 000005
【図４】
2012234554.tif 000006
【図５】
2012234554.tif 000007
【図６】
2012234554.tif 000008
【図７】
2012234554.tif 000009
【図８】
2012234554.tif 000010
【図９】
2012234554.tif 000011
【図１０】
2012234554.tif 000012
【図１１】
2012234554.tif 000013
【図１２】
2012234554.tif 000014
【図１３】
2012234554.tif 000015
【図１４】
2012234554.tif 000016
【図１５】
2012234554.tif 000017
【図１６】
2012234554.tif 000018
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
携帯コンテンツを、ネットワークを通じて、所定のタイミングで広告ページを挿入して携帯端末装置に配信するコンテンツサーバ装置であって、
広告挿入ページを特定する情報である広告表示タイミング情報と、
一つの携帯コンテンツを構成するいくつかのコンテンツファイルのセットと、
広告コンテンツとしてのデータファイルと、
を記憶する記憶手段と、
携帯端末装置が送信したページ識別情報を含むページ要求を受信するページ要求受信手段と、
ページ要求に含まれるページ特定情報と、広告表示タイミング情報を照合して、広告を挿入するタイミングか否かを判定するタイミング判定手段と、
挿入タイミングである場合にのみ、広告コンテンツを含み前記ページ要求されたページ特定情報で特定されるページを含むコンテンツファイルのＵＲＬにリダイレクトさせる記述またはコード、あるいは、同ＵＲＬへのハイパーリンクタグを含む広告ページを作成する広告ページ作成手段と、
挿入タイミングでない場合には、前記ページ要求されたページ特定情報で特定されるページを含むコンテンツファイルを読み出すコンテンツファイル選択手段と、
広告ページ作成手段が作成した広告ページ、または、コンテンツファイル選択手段が読み出た前記ページ要求されたページ特定情報で特定されるページを含むコンテンツファイルあるいは、直接ＵＲＬ指定されたコンテンツファイルを携帯端末装置に返信するページ返信手段と、
を備えることを特徴とするサーバ装置。
【請求項２】
前記ページ特定情報には、コンテンツ識別情報が含まれる
ことを特徴とする請求項1に記載のサーバ装置。
【請求項３】
前記記憶手段は、広告識別情報に関連付けられた広告コンテンツと、
広告識別情報を有する広告頻度情報の回答を受け取る広告ログデータと、
を記憶して、
広告ログデータを参照して、広告識別情報の広告頻度情報を算出する広告頻度算出手段と、広告頻度がもっとも少ない広告識別情報を選択して、この広告識別情報に関連付けられた広告コンテンツを選択する広告コンテンツ選択手段と、
広告識別情報を含む広告ログデータを作成して、記憶手段の広告ログデータに追加登録する広告ログ登録手段と、
前記広告ページ作成手段は、ページ要求のページ特定情報を用いて、広告表示タイミング情報が有するページ特定情報を参照して両者が一致すれば、広告コンテンツ選択手段が選択した広告コンテンツを含み前記ページ要求されたページ特定情報で特定されるページを含むコンテンツファイルのＵＲＬにリダイレクトさせる記述またはコードを含む広告ページを作成する、ことを特徴とする請求項１、または、請求項２に記載のサーバ装置。
【請求項４】
広告挿入ページを特定する情報である広告表示タイミング情報と、一つの携帯コンテンツを構成するいくつかのコンテンツファイルと、
広告コンテンツとしてのデータファイルと、
を用いて、
携帯コンテンツを、ネットワークを通じて、所定のタイミングで広告ページを挿入して携帯端末装置に配信する方法であって、
携帯端末装置が送信したページ識別情報を含むページ要求を受信する受信ステップと、
ページ要求に含まれるページ特定情報と、広告表示タイミング情報を照合して、広告を挿入するタイミングか否かを判定するタイミング判定ステップと、
挿入タイミングである場合にのみ、広告コンテンツを含み前記ページ要求されたページ特定情報で特定されるページを含むコンテンツファイルのＵＲＬにリダイレクトさせる記述またはコード、あるいは、同ＵＲＬへのハイパーリンクタグを含む広告ページを作成する広告ページ作成ステップと、
挿入タイミングでない場合には、前記ページ要求されたページ特定情報で特定されるページを含むコンテンツファイルを読み出すコンテンツファイル選択ステップと、
広告ページ作成手段が作成した広告ページ、または、コンテンツファイル選択ステップで読み出された前記ページ要求されたページ特定情報に対応するコンテンツファイル、あるいは、直接ＵＲＬ指定されたコンテンツファイルを携帯端末装置に返信するページ返信ステップと、
を含んだ手順でなされることを特徴とする携帯コンテンツに広告を挿入して配信する方法。
【請求項５】
コンピュータに組込むことによって、コンピュータを請求項１から請求項４のいずれか１項に記載のサーバ装置として動作させるコンピュータプログラム。
【手続補正２】
【補正対象書類名】明細書
【補正対象項目名】０００８
【補正方法】変更
【補正の内容】
【０００８】
本発明は、以下の各態様に記載の手段により、前記課題を解決する。
すなわち、本願発明の第１の態様は、携帯コンテンツを、ネットワークを通じて、所定のタイミングで広告ページを挿入して携帯端末装置に配信するコンテンツサーバ装置であって、広告挿入ページを特定する情報である広告表示タイミング情報（３９７ａ）と、一つの携帯コンテンツを構成するいくつかのコンテンツファイル（３９１）のセットと、広告コンテンツとしてのデータファイルと、を記憶する記憶手段と、携帯端末装置が送信したページ特定情報を含むページ要求を受信するページ要求受信手段（３１０）と、ページ要求に含まれるページ特定情報と、広告表示タイミング情報を照合して、広告を挿入するタイミングか否かを判定するタイミング判定手段と、挿入タイミングである場合にのみ、広告コンテンツを含み前記ページ要求されたページ特定情報で特定されるページを含むコンテンツファイルのＵＲＬにリダイレクトさせる記述またはコード、あるいは、同ＵＲＬへのハイパーリンクタグを含む広告ページを作成する広告ページ作成手段（３４０）と、挿入タイミングでない場合には、前記ページ要求されたページ特定情報で特定されるページを含むコンテンツファイルを読み出すコンテンツファイル選択手段（３４５）と、広告ページ作成手段が作成した広告ページ、または、コンテンツファイル選択手段が読み出た前記ページ要求されたページ特定情報で特定されるページを含むコンテンツファイル、あるいは、直接ＵＲＬ指定されたコンテンツファイルを携帯端末装置に返信するページ返信手段（３５０）と、を備えることを特徴とするサーバ装置である。
【手続補正３】
【補正対象書類名】明細書
【補正対象項目名】００１１
【補正方法】変更
【補正の内容】
【００１１】
本願発明の第３の態様は、前記記憶手段は、広告識別情報に関連付けられた広告コンテンツと、広告識別情報を有する広告頻度情報の回答を受け取る広告ログデータと、を記憶して、広告ログデータを参照して、広告識別情報の広告頻度情報を算出する広告頻度算出手段と、広告頻度がもっとも少ない広告識別情報を選択して、この広告識別情報に関連付けられた広告コンテンツを選択する広告コンテンツ選択手段と、広告識別情報を含む広告ログデータを作成して、記憶手段の広告ログデータに追加登録する広告ログ登録手段と、前記広告ページ作成手段は、ページ要求のページ特定情報を用いて、広告表示タイミング情報が有するページ特定情報を参照して両者が一致すれば、広告コンテンツ選択手段が選択した広告コンテンツを含み前記ページ要求されたページ特定情報で特定されるページを含むコンテンツファイルのＵＲＬにリダイレクトさせる記述またはコードを含む広告ページを作成する、ことを特徴とする請求項１、または、請求項２に記載のサーバ装置である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
本願第２の発明は、広告挿入ページを特定する情報である広告表示タイミング情報と、一つの携帯コンテンツを構成するいくつかのコンテンツファイルと、広告コンテンツとしてのデータファイルと、を用いて、携帯コンテンツを、ネットワークを通じて、所定のタイミングで広告ページを挿入して携帯端末装置に配信する方法であって、携帯端末装置が送信したページ特定情報を含むページ要求を受信する受信ステップと、ページ要求に含まれるページ特定情報と、広告表示タイミング情報を照合して、広告を挿入するタイミングか否かを判定するタイミング判定ステップと、挿入タイミングである場合にのみ、広告コンテンツを含み前記ページ要求されたページ特定情報で特定されるページを含むコンテンツファイルのＵＲＬにリダイレクトさせる記述またはコード、あるいは、同ＵＲＬへのハイパーリンクタグを含む広告ページを作成する広告ページ作成ステップと、挿入タイミングでない場合には、前記ページ要求されたページ特定情報で特定されるページを含むコンテンツファイルを読み出すコンテンツファイル選択ステップと、広告ページ作成ステップが作成した広告ページ、または、コンテンツファイル選択手段が読み出た前記ページ要求されたページ特定情報で特定されるページを最初に表示するよう設定されたコンテンツファイル、あるいは、直接ＵＲＬ指定されたコンテンツファイルを携帯端末装置に返信するページ返信ステップと、を含んだ手順でなされることを特徴とする携帯コンテンツに広告を挿入して配信する方法である。
【手続補正６】
【補正対象書類名】明細書
【補正対象項目名】００１４
【補正方法】変更
【補正の内容】
【００１４】
本願第３の発明は、コンピュータに組込むことによって、コンピュータを請求項１から請求項３のいずれか１項に記載のサーバ装置として動作させるコンピュータプログラムである。
【手続補正７】
【補正対象書類名】明細書
【補正対象項目名】００１５
【補正方法】削除
【補正の内容】